【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による無線通信のための方法であって、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備え、
前記少なくとも１つの好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
を備える方法。
【請求項２】
前記チャネル・フィードバックは、チャネル品質インジケータ（ＣＱＩ）およびプリコーディング行列インジケータ（ＰＭＩ）のうちの少なくとも１つを備える、請求項１に記載の方法。
【請求項３】
前記ＰＭＩは、前記少なくとも１つの好適なエレベーション・ビームのアジマスＰＭＩを備える、請求項２に記載の方法。
【請求項４】
前記複数のエレベーション・ビームは、エレベーション次元におけるアンテナ・ポートを、多くの仮想ビームへマップすることによって形成される、請求項１に記載の方法。
【請求項５】
各エレベーション・ビームは、エレベーション・プリコーディング・ベクトルのエントリのアグリゲーションとして生成される、請求項４に記載の方法。
【請求項６】
前記ＵＥは、少なくとも２つの好適なエレベーション・ビームをフィードバックする、請求項１に記載の方法。
【請求項７】
前記第１の基準信号に基づいて決定されたしきい値を、エレベーション角度幅が上回る場合、前記ＵＥは、少なくとも２つの好適なエレベーション・ビームをフィードバックする、請求項６に記載の方法。
【請求項８】
前記第２の基準信号は、各好適なエレベーション・ビームに関するＵＥ特有のチャネル状態情報基準信号（ＣＳＩ−ＲＳ）リソースを備える、請求項６に記載の方法。
【請求項９】
前記第１の基準信号は、共通のチャネル状態情報基準信号（ＣＳＩ−ＲＳ）リソースを用いて送信され、
前記第２の基準信号は、ＵＥ特有のＣＳＩ−ＲＳリソースを用いて送信され、
前記第２のステージのチャネル・フィードバックは、前記ＵＥ特有のＣＳＩ−ＲＳリソースのうちの少なくとも２つの測定に基づく、請求項１に記載の方法。
【請求項１０】
前記複数のエレベーション・ビームは、複数の固定されたエレベーション・ビームを備え、各固定されたエレベーション・ビームは、特定のチャネル状態情報基準信号（ＣＳＩ−ＲＳ）リソースにマップされる、請求項１に記載の方法。
【請求項１１】
前記マッピングに関する情報を示すシグナリングを受信すること、をさらに備える請求項１０に記載の方法。
【請求項１２】
グループに関するフィードバックは、前記オフセットに関するフィードバックほど頻繁に提供されない、請求項１に記載の方法。
【請求項１３】
少なくとも１つの好適ではない干渉エレベーション・ビーム、または、エレベーション・ビームのグループ・インデクス、のインジケーションを、前記基地局へ提供すること、をさらに備える請求項１に記載の方法。
【請求項１４】
ユーザ機器（ＵＥ）による無線通信のための装置であって、
多次元アレイをなす送信アンテナを有する基地局から、複数のエレベーション・ビームを用いて送信された第１の基準信号を受信するための手段と、
前記第１の基準信号に基づいて、前記複数のエレベーション・ビームから少なくとも１つの好適なエレベーション・ビームを選択するための手段と、
前記少なくとも１つの好適なエレベーション・ビームのインジケーションを、前記基地局へ提供するための手段と、少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備え、
前記好適なエレベーション・ビームおよび複数のアジマス・ポートを用いて送信された第２の基準信号を受信するための手段と、
前記第２の基準信号に基づいて、前記基地局へ第２のステージのチャネル・フィードバックを提供するための手段と、
を備える装置。
【請求項１５】
前記チャネル・フィードバックは、チャネル品質インジケータ（ＣＱＩ）およびプリコーディング行列インジケータ（ＰＭＩ）のうちの少なくとも１つを備える、請求項１４に記載の装置。
【請求項１６】
前記ＰＭＩは、前記好適なエレベーション・ビームのアジマスＰＭＩを備える、請求項１５に記載の装置。
【請求項１７】
前記複数のエレベーション・ビームは、エレベーション次元におけるアンテナ・ポートを、多くの仮想ビームへマップすることによって形成される、請求項１４に記載の装置。
【請求項１８】
各エレベーション・ビームは、エレベーション・プリコーディング・ベクトルのエントリのアグリゲーションとして生成される、請求項１７に記載の装置。
【請求項１９】
前記ＵＥは、少なくとも２つの好適なエレベーション・ビームをフィードバックする、請求項１４に記載の装置。
【請求項２０】
前記第１の基準信号に基づいて決定されたしきい値を、エレベーション角度幅が上回る場合、前記ＵＥは、少なくとも２つの好適なエレベーション・ビームをフィードバックする、請求項１９に記載の装置。
【請求項２１】
前記第２の基準信号は、各好適なエレベーション・ビームに関するＵＥ特有のチャネル状態情報基準信号（ＣＳＩ−ＲＳ）リソースを備える、請求項１９に記載の装置。
【請求項２２】
前記第１の基準信号は、共通のチャネル状態情報基準信号（ＣＳＩ−ＲＳ）リソースを用いて送信され、
前記第２の基準信号は、ＵＥ特有のＣＳＩ−ＲＳリソースを用いて送信され、
前記第２のステージのチャネル・フィードバックは、前記ＵＥ特有のＣＳＩ−ＲＳリソースのうちの少なくとも２つの測定に基づく、請求項１４に記載の装置。
【請求項２３】
前記複数のエレベーション・ビームは、複数の固定されたエレベーション・ビームを備え、各固定されたエレベーション・ビームは、特定のチャネル状態情報基準信号（ＣＳＩ−ＲＳ）リソースにマップされる、請求項１４に記載の装置。
【請求項２４】
前記マッピングに関する情報を示すシグナリングを受信すること、をさらに備える請求項２３に記載の装置。
【請求項２５】
グループに関するフィードバックは、前記オフセットに関するフィードバックほど頻繁に提供されない、請求項１４に記載の装置。
【請求項２６】
少なくとも１つの好適ではない干渉エレベーション・ビーム、または、エレベーション・ビームのグループ・インデクス、のインジケーションを、前記基地局へ提供すること、をさらに備える請求項１４に記載の装置。
【請求項２７】
ユーザ機器（ＵＥ）による無線通信のための装置であって、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備え、
前記好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
を行うように構成された少なくとも１つのプロセッサと、
前記少なくとも１つのプロセッサに結合されたメモリと、
を備える装置。
【請求項２８】
記憶された命令群を有する非一時的なコンピュータ読取可能な媒体であって、前記命令群は、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備え、
前記好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
のためにユーザ機器（ＵＥ）の１または複数のプロセッサによって実行可能である、非一時的なコンピュータ読取可能な媒体。
【手続補正２】
【補正対象書類名】明細書
【補正対象項目名】００７６
【補正方法】変更
【補正の内容】
【００７６】
[0087]本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［Ｃ１］
ユーザ機器（ＵＥ）による無線通信のための方法であって、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、
前記少なくとも１つの好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
を備える方法。
［Ｃ２］
前記チャネル・フィードバックは、チャネル品質インジケータ（ＣＱＩ）およびプリコーディング行列インジケータ（ＰＭＩ）のうちの少なくとも１つを備える、Ｃ１に記載の方法。
［Ｃ３］
前記ＰＭＩは、前記少なくとも１つの好適なエレベーション・ビームのアジマスＰＭＩを備える、Ｃ２に記載の方法。
［Ｃ４］
前記複数のエレベーション・ビームは、エレベーション次元におけるアンテナ・ポートを、多くの仮想ビームへマップすることによって形成される、Ｃ１に記載の方法。
［Ｃ５］
各エレベーション・ビームは、エレベーション・プリコーディング・ベクトルのエントリのアグリゲーションとして生成される、Ｃ４に記載の方法。
［Ｃ６］
前記ＵＥは、少なくとも２つの好適なエレベーション・ビームをフィードバックする、Ｃ１に記載の方法。
［Ｃ７］
前記第１の基準信号に基づいて決定されたしきい値を、エレベーション角度幅が上回る場合、前記ＵＥは、少なくとも２つの好適なエレベーション・ビームをフィードバックする、Ｃ６に記載の方法。
［Ｃ８］
前記第２の基準信号は、各好適なエレベーション・ビームに関するＵＥ特有のチャネル状態情報基準信号（ＣＳＩ−ＲＳ）リソースを備える、Ｃ６に記載の方法。
［Ｃ９］
前記第１の基準信号は、共通のチャネル状態情報基準信号（ＣＳＩ−ＲＳ）リソースを用いて送信され、
前記第２の基準信号は、ＵＥ特有のＣＳＩ−ＲＳリソースを用いて送信され、
前記第２のステージのチャネル・フィードバックは、前記ＵＥ特有のＣＳＩ−ＲＳリソースのうちの少なくとも２つの測定に基づく、Ｃ１に記載の方法。
［Ｃ１０］
前記複数のエレベーション・ビームは、複数の固定されたエレベーション・ビームを備え、各固定されたエレベーション・ビームは、特定のチャネル状態情報基準信号（ＣＳＩ−ＲＳ）リソースにマップされる、Ｃ１に記載の方法。
［Ｃ１１］
このマッピングに関する情報を示すシグナリングを受信すること、をさらに備えるＣ１０に記載の方法。
［Ｃ１２］
少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備える、Ｃ１に記載の方法。
［Ｃ１３］
グループに関するフィードバックは、前記オフセットに関するフィードバックほど頻繁に提供されない、Ｃ１２に記載の方法。
［Ｃ１４］
少なくとも１つの好適ではない干渉エレベーション・ビーム、または、エレベーション・ビームのグループ・インデクス、のインジケーションを、前記基地局へ提供すること、をさらに備えるＣ１に記載の方法。
［Ｃ１５］
ユーザ機器（ＵＥ）による無線通信のための装置であって、
多次元アレイをなす送信アンテナを有する基地局から、複数のエレベーション・ビームを用いて送信された第１の基準信号を受信するための手段と、
前記第１の基準信号に基づいて、前記複数のエレベーション・ビームから少なくとも１つの好適なエレベーション・ビームを選択するための手段と、
前記少なくとも１つの好適なエレベーション・ビームのインジケーションを、前記基地局へ提供するための手段と、
前記好適なエレベーション・ビームおよび複数のアジマス・ポートを用いて送信された第２の基準信号を受信するための手段と、
前記第２の基準信号に基づいて、前記基地局へ第２のステージのチャネル・フィードバックを提供するための手段と、
を備える装置。
［Ｃ１６］
前記チャネル・フィードバックは、チャネル品質インジケータ（ＣＱＩ）およびプリコーディング行列インジケータ（ＰＭＩ）のうちの少なくとも１つを備える、Ｃ１５に記載の装置。
［Ｃ１７］
前記ＰＭＩは、前記好適なエレベーション・ビームのアジマスＰＭＩを備える、Ｃ１６に記載の装置。
［Ｃ１８］
前記複数のエレベーション・ビームは、エレベーション次元におけるアンテナ・ポートを、多くの仮想ビームへマップすることによって形成される、Ｃ１５に記載の装置。
［Ｃ１９］
各エレベーション・ビームは、エレベーション・プリコーディング・ベクトルのエントリのアグリゲーションとして生成される、Ｃ１８に記載の装置。
［Ｃ２０］
前記ＵＥは、少なくとも２つの好適なエレベーション・ビームをフィードバックする、Ｃ１５に記載の装置。
［Ｃ２１］
前記第１の基準信号に基づいて決定されたしきい値を、エレベーション角度幅が上回る場合、前記ＵＥは、少なくとも２つの好適なエレベーション・ビームをフィードバックする、Ｃ２０に記載の装置。
［Ｃ２２］
前記第２の基準信号は、各好適なエレベーション・ビームに関するＵＥ特有のチャネル状態情報基準信号（ＣＳＩ−ＲＳ）リソースを備える、Ｃ２０に記載の装置。
［Ｃ２３］
前記第１の基準信号は、共通のチャネル状態情報基準信号（ＣＳＩ−ＲＳ）リソースを用いて送信され、
前記第２の基準信号は、ＵＥ特有のＣＳＩ−ＲＳリソースを用いて送信され、
前記第２のステージのチャネル・フィードバックは、前記ＵＥ特有のＣＳＩ−ＲＳリソースのうちの少なくとも２つの測定に基づく、Ｃ１５に記載の装置。
［Ｃ２４］
前記複数のエレベーション・ビームは、複数の固定されたエレベーション・ビームを備え、各固定されたエレベーション・ビームは、特定のチャネル状態情報基準信号（ＣＳＩ−ＲＳ）リソースにマップされる、Ｃ１５に記載の装置。
［Ｃ２５］
このマッピングに関する情報を示すシグナリングを受信すること、をさらに備えるＣ２４に記載の装置。
［Ｃ２６］
少なくとも１つの好適なエレベーション・ビームのインジケーションを、前記基地局へ提供することは、エレベーション・ビームのグループ・インデクスおよび前記グループ・インデクスにおけるオフセットのインジケーション、を提供することを備える、Ｃ１５に記載の装置。
［Ｃ２７］
グループに関するフィードバックは、前記オフセットに関するフィードバックほど頻繁に提供されない、Ｃ２６に記載の装置。
［Ｃ２８］
少なくとも１つの好適ではない干渉エレベーション・ビーム、または、エレベーション・ビームのグループ・インデクス、のインジケーションを、前記基地局へ提供すること、をさらに備えるＣ１５に記載の装置。
［Ｃ２９］
ユーザ機器（ＵＥ）による無線通信のための装置であって、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、
前記好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
を行うように構成された少なくとも１つのプロセッサと、
前記少なくとも１つのプロセッサに結合されたメモリと、
を備える装置。
［Ｃ３０］
記憶された命令群を有するコンピュータ読取可能な媒体を備えるユーザ機器（ＵＥ）による無線通信のためのプログラム製品であって、前記命令群は、
多次元アレイをなす送信アンテナを有する基地局から、複数のエレベーション・ビームを用いて送信された第１の基準信号を受信することと、
前記第１の基準信号に基づいて、前記複数のエレベーション・ビームから少なくとも１つの好適なエレベーション・ビームを選択することと、
前記少なくとも１つの好適なエレベーション・ビームのインジケーションを、前記基地局へ提供することと、
前記好適なエレベーション・ビームおよび複数のアジマス・ポートを用いて送信された第２の基準信号を受信することと、
前記第２の基準信号に基づいて、前記基地局へ第２のステージのチャネル・フィードバックを提供することと、
のために１または複数のプロセッサによって実行可能である、プログラム製品。